(57)【要約】【課題】  部品点数を増やすことなく、設計自由度が制約されることなく騒音を低減でき、コストの上昇を抑えつつ、小型化を図る上で有利な投射型表示装置を提供すること。【解決手段】  投射型表示装置８は矩形板状の筐体１０を備え、筐体１０の内部に、画像形成部２３に冷却風を供給する冷却ファン３０が設けられている。冷却ファン３０は筐体１０の底板上にホルダー４０を介して取り付けられている。却ファン３０の吹き出し口３００４に風路部材５０の吸い込み口５００２が連結され、冷却風が風路部材５０を経て３つの液晶パネル２０Ｂ、２０Ｇ、２０Ｒが配置されている箇所に供給されるように構成されている。ホルダー４０は、振動抑制効果を有する合成樹脂を用いて型により一体成形されている。【選択図】        図１
2005352023.tif 000002
【特許請求の範囲】
【請求項１】
光源と、
前記光源から出射された光束を波長の異なる複数の光束に分離する光学系と、
前記分離された各光束を画像形成用の１つの光束に合成して出射する画像形成部と、
前記光源、光学系、画像形成手段を収容する筐体と、
前記画像形成部に冷却風を供給する冷却ファンと、
を備える投射型表示装置であって、
前記冷却ファンは、ホルダーを介して前記筐体内で支持され、
前記ホルダーは、振動抑制効果を有する合成樹脂を用いて型により一体成形されている、
ことを特徴とする投射型表示装置。
【請求項２】
前記冷却ファンの吹き出し口に、冷却風を前記画像形成部に導く中空状の風路部材が連結され、前記風路部材は、振動抑制効果を有する合成樹脂を用いて型により一体成形されていることを特徴とする請求項１記載の投射型表示装置。
【発明の詳細な説明】
【技術分野】
【０００１】
本発明は投射型表示装置に関し、より詳細には、静音性を高めた投射型表示装置に関する。
【背景技術】
【０００２】
スクリーン上に光束を投影して画像を形成する投射型表示装置（プロジェクター）がある。このような投射型表示装置は、光源と、光源から出射された光束を波長が異なる複数の光束に分離する光学系と、分離された各光束を画像形成用の１つの光束に合成して出射する画像形成部と、これら光源、光学系、画像形成部を収容する筐体とを備えている。
そして、画像形成部は、一般に、分離された各光束に対応して赤色（Ｒ）、緑色（Ｇ）、青色（Ｂ）の３色の画像情報をそれぞれ表示する３つの液晶パネルを含んで構成されており、これら液晶パネルは駆動時に光束から発せられる熱により高温になり易い。
液晶パネルが高温になると、液晶パネルが膨張して色ずれなどが生じ、スクリーン上に鮮明なカラー画像が結像されにくくなるため、画像形成部の各液晶パネルを含んだ３箇所に冷却風を供給し冷却することが行なわれており、３箇所に冷却風を供給することから冷却ファンとして比較的容量の大きいものが筐体内に装備されることになる（例えば、特許文献１）。
【特許文献１】特開２００２−１８９２５０号公報
【発明の開示】
【発明が解決しようとする課題】
【０００３】
一方、冷却ファンの駆動時、冷却ファンの羽根が高速で回転するため、冷却ファンのケースは振動する。画像形成部冷却用の冷却ファンは容量が大きいため振動も大きい。この大きな振動で発せられる振動波が冷却ファンを固定保持している部位に伝播し、さらにその振動波が投射型表示装置の筺体（外形部位）に伝わる。この部位どうしの振動伝播が騒音に代わり、投射型表示装置自身の騒音として使用者が感じる問題がある。
特に、投射型表示装置は、会議室などのような静まった箇所で使用される場合が多く、そのため、筐体内に装備される画像形成部冷却用の冷却ファンに起因した騒音が、映像を見る人の耳障りとなり、このような騒音を低減させるために何らかの改善が望まれている。
そこで、画像形成部冷却用の冷却ファンの騒音を低減させるため、筐体に防振材を貼り付けたり、あるいは、防振部材を用いた新たな防振構造により冷却ファンを支持することが考えられるが、筐体に防振材を貼り付ける方法では、部品点数が増加すると共に組み立てコストも上昇し、また、装置の小型化を図る上で不利となる。また、新たな防振構造により冷却ファンを支持する方法では、内部構造上設計自由度が制約される他、筐体の金型や、冷却ファンを支持するホルダーの金型を作り直さなければならず、コストが上昇し、また、装置の小型化を図る上で不利がある。
本発明は前記事情に鑑み案出されたものであって、本発明の目的は、部品点数を増やすことなく、また、設計自由度が制約されることなく騒音を低減でき、コストの上昇を抑えつつ、装置の小型化を図る上で有利な投射型表示装置を提供することにある。
【課題を解決するための手段】
【０００４】
前記目的を達成するため本発明は、光源と、前記光源から出射された光束を波長の異なる複数の光束に分離する光学系と、前記分離された各光束を画像形成用の１つの光束に合成して出射する画像形成部と、前記光源、光学系、画像形成手段を収容する筐体と、前記画像形成部に冷却風を供給する冷却ファンとを備える投射型表示装置であって、前記冷却ファンは、ホルダーを介して前記筐体内で支持され、前記ホルダーは、振動抑制効果を有する合成樹脂を用いて型により一体成形されていることを特徴とする。
【発明の効果】
【０００５】
本発明によれば、従来のように筐体に防振材を貼り付けるなどの作業を要することなく、また、従来のように新たに防振構造を採用する必要もなく、投射型表示装置の騒音を低減でき、部品点数を削減し組み立てコストを低減する上で有利で、また、投射型表示装置の小型化を図る上で有利となる。
【発明を実施するための最良の形態】
【０００６】
本発明は、冷却ファンを支持するホルダーを、振動抑制効果を有する合成樹脂を用いて型により一体成形することで上記の目的を達成した。
以下、本発明の実施例について図面にしたがって説明する。
【実施例１】
【０００７】
図１は画像形成部冷却用の冷却ファン部分を表した投射型表示装置の概略斜視図、図２は図１のＡ矢印方向から見た画像形成部冷却用の冷却ファンの取り付け構造の説明図、図３は光源、光学系、画像形成部の説明図を示す。
投射型表示装置８は矩形板状の筐体１０を備え、筐体１０の内部に、光源１２、照明光学系１４、色分離光学系１６、リレー光学系１８、３つの液晶パネル２０、クロスダイクロイックプリズム２２、投射レンズ２４、冷却ファン３０、風路部材５０などが設けられている。なお、冷却ファン３０は画像形成部冷却用であり、ファンはその他に光源１２冷却用のものなども設けられているが、画像形成部冷却用の冷却ファン３０の取り付け構造に本発明が適用されている。
光源１２から出射された白色光は照明光学系１４によって色分離光学系１６およびリレー光学系１８に導かれ、色分離光学系１６およびリレー光学系１８によって赤色（Ｒ）、緑色（Ｇ）、青色（Ｂ）の３色の光束に分離され、これら３色の光束は対応する赤色（Ｒ）、緑色（Ｇ）、青色（Ｂ）の３色の画像情報をそれぞれ表示する３つの液晶パネル２０（２０Ｒ、２０Ｇ、２０Ｂ）を通過した後、クロスダイクロイックプリズム２２によって１つの光束に合成され、投射レンズ２４を介してスクリーン上にカラー画像として投影される。
本実施例では、３つの液晶パネル２０およびクロスダイクロイックプリズム２２を含んで画像形成部２３が構成されている。
【０００８】
さらに詳しく説明すると、図３に示すように、照明光学系１４は、凹レンズ１４０２、ＵＶカットフィルター１４０４、第１、第２フライアイレンズ１４０６，１４０８、ＰＳ変換素子１４１０、コンデンサレンズ１４１２がこれらの順に配列されて構成され、光源１２からの光束がこれらを通過し、色分離光学系１６に入射される。
色分離光学系１６は、青色の光束を反射し緑色と赤色の光束を透過させる青色用のダイクロイックミラー１６０２と、緑色の光束を反射し赤色の光束を透過させる赤色用のダイクロイックミラー１６０４とを有している。
照明光学系１４から出射された光束のうち、青色の光束はダイクロイックミラー１６０２で反射されるとＵＶ吸収フィルタ１６０６、全反射ミラー１６０８、コンデンサレンズ１６１０を介して液晶パネル２０Ｂを透過しクロスダイクロイックプリズム２２に至る。
【０００９】
青色用のダイクロイックミラー１６０２を透過した光束のうち、緑色の光束は赤色用のダイクロイックミラー１６０４によって反射されるとコンデンサレンズ１６１０を介して液晶パネル２０Ｇを透過しクロスダイクロイックプリズム２２に至る。
青色用のダイクロイックミラー１６０２を透過した光束のうち、赤色の光束は赤色用のダイクロイックミラー１６０４を透過すると、リレー光学系１８を構成する第１リレーレンズ１８０２、全反射ミラー１８０４、第２リレーレンズ１８０６、全反射ミラー１８０８によってコンデンサレンズ１６１０を介して液晶パネル２０Ｒを透過しクロスダイクロイックプリズム２２に至る。
３つの液晶パネル２０Ｂ、２０Ｇ、２０Ｒのそれぞれ光束入射側に入射側偏光板２００２が、光束出射側に出射側偏光板２００４がそれぞれ設けられている。
【００１０】
クロスダイクロイックプリズム２２は、青色の光束を反射する誘電体多層膜２２Ｂと、赤色の光束を反射する誘電体多層膜２２Ｒとが、４つの直角プリズムの界面に沿ってほぼＸ字状に形成されている。このクロスダイクロイックプリズム２２は、各液晶パネル２０Ｂ、２０Ｇ、２０Ｒの出射側にそれぞれ臨み光軸に対して直交する３つの入射面と、投射レンズ２４に臨み光軸に対して直交する１つの出射面２２０２とを有している。
青色の光束に対応する液晶パネル２０Ｂからクロスダイクロイックプリズム２２に入射された青色の光束は誘電体多層膜２２Ｂによって反射され出射面２２０２から出射され投射レンズ２４に至る。
赤色の光束に対応する液晶パネル２０Ｒからクロスダイクロイックプリズム２２に入射された赤色の光束は誘電体多層膜２２Ｒによって反射され出射面２２０２から出射され投射レンズ２４に至る。
緑色の光束に対応する液晶パネル２０Ｇからクロスダイクロイックプリズム２２に入射された緑色の光束は誘電体多層膜２２Ｂおよび誘電体多層膜２２Ｒを透過し出射面２２０２から出射され投射レンズ２４に至る。
したがって、クロスダイクロイックプリズム２２の出射面２２０２からは青色、赤色、緑色の３つの光束が合成された光束が投射レンズ２４に入射され投射レンズ２４によって導かれた光束がスクリーン上に結像されることでカラー画像が形成される。
なお、照明光学系１４、色分離光学系１６、リレー光学系１８、画像形成部２３の構成やレイアウトは上述した実施例に限定されず、従来公知の様々な構造が適用可能である。
【００１１】
冷却ファン３０はシロッコファンであり、ケース３００２と、ケース３００２内に回転可能に配設された羽根と、モータなどを含んで構成され、ケース３００２の底面に吸い込み口が設けられ、ケース３００２の側部に吹き出し口３００４が設けられている。
冷却ファン３０は筐体１０の底板上にホルダー４０を介して取り付けられている。
ホルダー４０は、本実施例では平板状を呈し、ホルダー４０の上面には、冷却ファン３０のケース３００２を取り付けるための取り付け座（取り付け部）４００２が膨出形成され、下面には、ホルダー４０を筐体１０の底板に取り付けるための取り付け座（取り付け部）４００４が膨出形成されている。
冷却ファン３０は、ホルダー４０の下面から取り付け座４００２のねじ挿通孔を通ってケース３００２の底面のねじ孔に螺合されるねじによりホルダー４０に取着され、冷却ファン３０が取着されたホルダー４０は、筐体１０の底板のねじ挿通孔を通って取り付け座４００４のねじ孔に螺合されるねじにより筐体１０の底板に取着されている。
そして、ケース３００２の底面の吸い込み口に臨むホルダー４０の箇所および筐体１０の底板箇所に、空気取り入れ口が設けられ、ケース３００２の底面の吸い込み口から吸い込んだ筐体１０外の空気を、風路部材５０を介して画像形成部２３に吹き出すように構成されている。
【００１２】
風路部材５０は、合成樹脂製で型を用いて中空状に一体成形され、筐体１０の内部で画像形成部２３の下方に配置され、風路部材５０の底面に膨出形成された取り付け座に、筐体１０の底板から挿入されたねじが螺合することで固定されている。
風路部材５０は、その吸い込み口５００２が冷却ファン３０の吹き出し口３００４に連結され、風路部材には３つの液晶パネル２０Ｂ、２０Ｇ、２０Ｒの下方に臨む箇所にそれぞれ吹き出し口５００４が開口されており、３つの吹き出し口５００４から冷却風が３つの液晶パネル２０Ｂ、２０Ｇ、２０Ｒが配置されている箇所に供給されるように構成されている。
なお、本実施例では、筐体１０内に取り込まれた筐体１０外の冷却風は、光源１２の近傍に配置され光源１２を冷却するための排気ファンにより筐体１０の外部に導かれるように構成されている。
【００１３】
以上の構成において、筐体１０内で冷却ファン３０を支持するホルダー４０は、振動抑制効果を有する合成樹脂を用いて型により一体成形されている。
このような合成樹脂として市販品を用いることができ、例えば、ウィンテックポリマー株式会社の商品名「ジュラネック」のＣＲＮ７８３０を用いることができる。
【００１４】
本実施例による振動および騒音の実験結果を図４、図５に示す。
図４（Ａ）は実施例のホルダー４０を用いて冷却ファン３０を支持した場合の各周波数帯域における筐体１０の振動の強さ（大きさ）を測定したものであり、図４（Ｂ）は、振動抑制効果を有さない通常の合成樹脂（ＡＢＳ樹脂）を用いて冷却ファン３０を支持した場合の各周波数帯域における筐体１０の振動の強さ（大きさ）を測定したものである。
図４（Ａ）、（Ｂ）から明らかなように、３００Ｈｚ付近で双方共にピークがあるものの、実施例のホルダー４０を用いた場合の方が振動実効値は全体として低いものとなっていることが分かる。
図５の曲線（Ａ）は実施例のホルダー４０を用いて冷却ファン３０を支持した場合の各周波数帯域における騒音の測定値を接続したものであり、図５の曲線（Ｂ）は、振動抑制効果を有さない通常の合成樹脂（ＡＢＳ樹脂）を用いて冷却ファン３０を支持した場合の各周波数帯域における騒音の測定値を接続したものである。
図５の曲線（Ａ）、（Ｂ）から明らかなように、周波数の全域で実施例のホルダー４０を用いた場合の方が双方は低いものとなっていることが分かる。
【００１５】
したがって、本実施例によれば、従来のように筐体１０に防振材を貼り付けるなどの作業を要することなく投射型表示装置８の騒音を低減でき、部品点数を削減し組み立てコストを低減する上で有利で、また、投射型表示装置８の小型化を図る上で有利となる。
また、従来のように新たに防振構造を採用する必要もなく、そのため、内部構造上設計自由度が制約される不具合も解消され、コストを低減する上で有利となる。
また、用いる合成樹脂を単に変更することで足りるので、金型を作り直す必要もなく既存の金型をそのまま使用でき、コストを低減する上でより一層有利となる。
【００１６】
なお、本実施例では、冷却ファン３０の吹き出し口３００４に風路部材５０の吸い込み口５００２が連結されており、冷却ファン３０の振動はホルダー４０に留まらず吸い込み口５００２から風路部材５０にも伝播される。
したがって、実施例では、振動抑制効果を有する合成樹脂を用いて型によりホルダー４０を一体成形した場合について説明したが、ホルダー４０と共に風路部材５０も、振動抑制効果を有する合成樹脂を用いて型により一体成形すると、投射型表示装置８の騒音を低減する上でより一層有利となる。
【図面の簡単な説明】
【００１７】
【図１】画像形成部冷却用の冷却ファン部分を表した投射型表示装置の概略斜視図である。
【図２】図１のＡ矢印方向から見た画像形成部冷却用の冷却ファンの取り付け構造の説明図である。
【図３】光源、光学系、画像形成部の説明図である。
【図４】実施例のホルダーを用いて冷却ファンを支持した場合と従来例の場合における各周波数帯域における筐体の振動の強さ（大きさ）の測定結果である。
【図５】実施例のホルダーを用いて冷却ファンを支持した場合と従来例の場合における各周波数帯域における騒音の測定結果である。
【符号の説明】
【００１８】
８……投射型表示装置、１０……筐体、１２……光源、２０……液晶パネル、３０……冷却ファン、４０……ホルダー、５０……風路部材。
【図１】
2005352023.tif 000003
【図２】
2005352023.tif 000004
【図３】
2005352023.tif 000005
【図４】
2005352023.tif 000006
【図５】
2005352023.tif 000007